(57)【要約】【課題】改善された折畳可能な靴の設計および改善された靴製造プロセスを提供する。【解決手段】爪先キャビティおよびヒールキャビティを備える、足のための内側部分を形成するアッパーを備える靴が提供される。靴は、爪先端部およびヒール端部と内側側部および外側側部とを有するミッドソールをさらに備える。ミッドソールはアッパーに縫い合わされ、それにより内側部分に対する底部が形成される。ヒールアウトソールパッチおよび爪先アウトソールパッチは、それぞれミッドソールに縫い合わされる。インソールは内側部分の底部に固定される。ヒールアウトソールパッチと爪先アウトソールパッチとの間の間隔は、内側側部から外側側部まで延長し、爪先端部とヒール端部との中間の位置を占め、それにより靴が、その間隔を通って伸びる軸の周りに折り畳まれることが可能となる。靴は、靴が着用される伸展状態と爪先キャビティを備えるアッパーの部分がヒールキャビティに押し込まれる折畳状態との間で折り畳まれる。【選択図】図１
2018008150.tif 000002
【特許請求の範囲】
【請求項１】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーまたは前記ミッドソールに縫い合わされず、
（ii）前記ヒールアウトソールパッチおよび前記爪先アウトソールパッチは、それぞれエラストマーから作製される、
靴。
【請求項２】
前記ミッドソールは皮革製である、請求項１に記載の靴。
【請求項３】
前記内側部分の前記底部は発泡インレイをさらに備え、前記インソールは接着剤により前記発泡インレイに固定される、請求項１に記載の靴。
【請求項４】
前記内側部分は、前記ミッドソールの第２表面の前記ヒール部分に接着されたクッションインサートをさらに備える、請求項１に記載の靴。
【請求項５】
前記ミッドソールはヒール部分および爪先部分を有する第２表面を備え、
前記内側部分は前記ミッドソールの第２表面の前記ヒール部分に接着されたクッションインサートをさらに備え、
前記発泡インレイは（ｉ）クッションインサートおよび（ii）前記ミッドソールの前記第２表面の前記爪先部分に接着されている、請求項３に記載の靴。
【請求項６】
前記クッションインサートは、第１端部および第２端部により特徴付けられ、
前記クッションインサートの前記第１端部は前記ヒール部分の第１部分に接着され、前記クッションインサートの前記第２端部は前記ヒール部分の第２部分に接着され、前記ヒール部分の前記第１部分は、前記ヒール部分の前記第２部分よりも、前記ミッドソールの前記第２表面の前記爪先部分に近く、
前記クッションインサートの前記第１端部は、前記クッションインサートの前記第２端部よりも薄い、
請求項４に記載の靴。
【請求項７】
前記クッションインサートは、前記ミッドソールの前記爪先部分から最も近い前記クッションインサートの部分が、前記ミッドソールの前記爪先部分から最も遠い前記クッションインサートの部分よりも薄くなるよう、前記ミッドソールの前記第２表面の前記爪先部分からの距離の関数として前記インサートに沿って厚くなる、請求項４に記載の靴。
【請求項８】
前記クッションインサートはエチレンビニルアセテート・タイプまたはポリウレタン・タイプの材料を含む、請求項４に記載の靴。
【請求項９】
前記クッションインサートは４５〜７０のショアＡ硬度を有する、請求項４に記載の靴。
【請求項１０】
前記クッションインサートは６０〜７０のショアＡ硬度を有する、請求項４に記載の靴。
【請求項１１】
前記クッションインサートは０．３０ｇ／ｃｍ３〜０．７ｇ／ｃｍ３の密度を有する、請求項４に記載の靴。
【請求項１２】
前記クッションインサートは０．４０ｇ／ｃｍ３〜０．７ｇ／ｃｍ３の密度を有する、請求項４に記載の靴。
【請求項１３】
少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
少なくとも３／６４インチの深度を有する第２溝部が前記爪先アウトソールパッチの外辺部に近接して形成され、前記爪先アウトソールパッチは、前記第２溝部を占める第２糸を用いて、前記ミッドソールの前記第１表面の前記爪先部分に縫い合わされる、
請求項１に記載の靴。
【請求項１４】
前記アッパーは第１端部および第２端部を有する一体として形成され、前記第１端部および前記第２端部は前記ヒールキャビティにおいて第２シームによって一体化される、請求項１に記載の靴。
【請求項１５】
前記アッパーは（ｉ）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対して前記底部が形成され、
前記第２縁部の第１部分は弾性制限部により特徴付けられ、前記第２縁部の前記第１部分は前記ヒールキャビティまで延びていない、
請求項１に記載の靴。
【請求項１６】
前記第２縁部の第２部分は、前記ヒールキャビティに対して上方境界を提供するアキレスクッションにより特徴付けられる、請求項１５に記載の靴。
【請求項１７】
前記アッパーは第１端部および第２端部を有する一体として形成され、
前記第１端部および前記第２端部は前記ヒールキャビティにおいて第２シームによって一体化され、
半月形ピースが前記第２シームの下方部分を覆う、
請求項１に記載の靴。
【請求項１８】
靴は折畳状態にあり、引っ張り紐を有するポーチへと押し込まれる、請求項１に記載の靴。
【請求項１９】
前記ポーチは折畳可能なトートバッグを保持するためのポケットを備え、前記トートバッグは１対の靴を収容するよう構成された、請求項１８に記載の靴。
【請求項２０】
靴は折畳状態にあり、蓋を有するコンパクトボックスに押し込まれる、請求項１に記載の靴。
【請求項２１】
前記爪先アウトソールパッチの後部コーナーは前記第１シームの一部分の１／４インチ内にある、請求項１に記載の靴。
【請求項２２】
前記爪先アウトソールパッチの後部コーナーは前記第１シームの一部分の３／１６インチ内にある、請求項１に記載の靴。
【請求項２３】
前記爪先アウトソールパッチの前部コーナーは前記第１シームの一部分の１／４インチ内にある、請求項１に記載の靴。
【請求項２４】
前記ヒールアウトソールパッチの後部コーナーは前記第１シームの一部分の３／１６インチ内にある、請求項１に記載の靴。
【請求項２５】
前記ヒールアウトソールパッチの後部コーナーは前記第１シームの一部分の１／４インチ内にある、請求項１に記載の靴。
【請求項２６】
前記爪先アウトソールパッチまたは前記ヒールアウトソールパッチは０．８〜１．５の耐久性係数を有する、請求項１に記載の靴。
【請求項２７】
前記爪先アウトソールパッチまたは前記ヒールアウトソールパッチは１．０〜１．３の耐久性係数を有する、請求項１に記載の靴。
【請求項２８】
前記ヒールアウトソールパッチおよび前記爪先アウトソールパッチはそれぞれ少なくとも３／３２インチの厚みを有する、請求項１に記載の靴。
【請求項２９】
前記ヒールアウトソールパッチおよび前記爪先アウトソールパッチはそれぞれ少なくとも５／３２インチの厚みを有する、請求項１に記載の靴。
【請求項３０】
前記間隔は４／８インチ〜６／８インチである、請求項１に記載の靴。
【請求項３１】
前記間隔は約５／８インチである、請求項１に記載の靴。
【請求項３２】
水平面上に立つ女性の足に靴が着用された場合、前記ヒールアウトソールパッチの側部は水平面から少なくとも４５度の角度で見える、請求項１に記載の靴。
【請求項３３】
水平面上に立つ女性の足に靴が着用された場合、前記爪先アウトソールパッチの側部は水平面から少なくとも４５度の角度で見える、請求項１に記載の靴。
【請求項３４】
前記ヒールアウトソールパッチにより画定され且つ前記ミッドソールおよび前記インソールの対応する部分を備える靴の領域は０．４０キログラム重／インチ〜０．７０キログラム重／インチのばね定数を有する、請求項１に記載の靴。
【請求項３５】
前記ヒールアウトソールパッチにより画定され且つ前記ミッドソールおよび前記インソールの対応する部分を備える靴の領域は０．４５キログラム重／インチ〜０．５５キログラム重／インチのばね定数を有する、請求項１に記載の靴。
【請求項３６】
前記爪先アウトソールパッチにより画定され且つ前記ミッドソールおよび前記インソールの対応する部分を備える靴の領域は０．４０キログラム重／インチ〜０．７０キログラム重／インチのばね定数を有する、請求項１に記載の靴。
【請求項３７】
前記爪先アウトソールパッチにより画定され且つ前記ミッドソールおよび前記インソールの対応する部分を備える靴の領域は０．４５キログラム重／インチ〜０．５５キログラム重／インチのばね定数を有する、請求項１に記載の靴。
【請求項３８】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）前記ヒールアウトソールパッチにより画定され且つ前記ミッドソールおよび前記インソールの対応する部分を備える靴の領域は、０．４０キログラム重／インチ〜０．７０キログラム重／インチのばね定数を有する、
靴。
【請求項３９】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）前記爪先アウトソールパッチの後部コーナーは前記第１シームの一部分の１／４インチ内にある、
靴。
【請求項４０】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
（iii）少なくとも３／６４インチの深度を有する第２溝部が前記爪先アウトソールパッチの外辺部に近接して形成され、前記爪先アウトソールパッチは、前記第２溝部を占める第２糸を用いて、前記ミッドソールの前記第１表面の前記爪先部分に縫い合わされる、
靴。
【請求項４１】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記ヒールアウトソールパッチにより画定され且つ前記ミッドソールおよび前記インソールの対応する部分を備える靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、
靴。
【請求項４２】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）前記ミッドソールの第２表面の前記ヒール部分にクッションインサートを固定することと、
（Ｄ）女性の足を受容するための内側部分であって、爪先キャビティおよびヒールキャビティを備える内側部分を形成するアッパーを、（ｉ）爪先端部、（ii）ヒール端部、（iii）内側側部、および（iv）外側側部を有する前記ミッドソールに縫い合わせることであって、縫い合わせること（Ｄ）により、前記ミッドソールの外辺部は前記アッパーに縫い合わされ、それにより、第１シームにより囲まれた前記内側部分に対する底部が形成されることと、
（Ｅ）接着剤により前記内側部分の前記底部にインソールを固定することと、
を含み、
前記縫い合わせること（Ａ）および前記縫い合わせること（Ｂ）は、（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（ｉ）前記インソールは前記アッパーまたは前記ミッドソールに縫い合わされず、
（ii）前記ヒールアウトソールパッチおよび前記爪先アウトソールパッチは、それぞれエラストマーから作製される、
方法。
【請求項４３】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）女性の足を受容するための内側部分であって、爪先キャビティおよびヒールキャビティを備える内側部分を形成するアッパーを、（ｉ）爪先端部、（ii）ヒール端部、（iii）内側側部、および（iv）外側側部を有する前記ミッドソールに縫い合わせることであって、縫い合わせること（Ｃ）により、前記ミッドソールの外辺部は前記アッパーに縫い合わされ、それにより、第１シームにより囲まれた前記内側部分に対する底部が形成されることと、
（Ｄ）接着剤により前記内側部分の前記底部にインソールを固定することと、
を含み、
前記縫い合わせること（Ａ）および前記縫い合わせること（Ｂ）は、（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（ｉ）前記ヒールアウトソールパッチにより画定され且つ前記ミッドソールおよび前記インソールの対応する部分を備える前記靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、
方法。
【請求項４４】
靴は折畳状態にあり、折畳可能なトートバッグに関連付けられる、請求項１に記載の靴。
【請求項４５】
前記トートバッグは圧縮可能である、請求項４４に記載の靴。
【請求項４６】
前記トートバッグは、２方向に伸長可能な材料から作製された自己格納式のポケット内に圧縮可能であり、前記自己格納式のポケットは、前記自己格納式のポケット内に圧縮されたとき前記トートバックを圧縮する、請求項４５に記載の靴。
【請求項４７】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、
請求項１から請求項３７のいずれか１項に記載の靴。
【請求項４８】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（Ａ）（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
（Ｂ）前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、
靴。
【請求項４９】
前記アウトソール比は７．０〜９．０である、請求項４８に記載の靴。
【請求項５０】
前記アウトソール比は７．６より大きい、請求項４８に記載の靴。
【請求項５１】
前記アウトソール比は８．０より大きい、請求項４８に記載の靴。
【請求項５２】
前記アウトソール比は８．４より大きい、請求項４８に記載の靴。
【請求項５３】
Ｄは２．０ｍｍ〜４．０ｍｍである、請求項４８に記載の靴。
【請求項５４】
Ｔは３．０ｍｍ〜１０．０ｍｍである、請求項４８に記載の靴。
【請求項５５】
Ｗは６０ｍｍ〜８９ｍｍである、請求項４８に記載の靴。
【請求項５６】
Ｍは７０ｍｍ〜９３ｍｍである、請求項４８に記載の靴。
【請求項５７】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ａ）前記ヒールアウトソールパッチにより画定され且つ前記ミッドソールおよび前記インソールの対応する部分を備える靴の領域は０．４０キログラム重／インチ〜０．７０キログラム重／インチのばね定数を有し、
（Ｂ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、
靴。
【請求項５８】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記爪先アウトソールパッチの後部コーナーは前記第１シームの部分の１／４インチ内にあり、
（ii）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、
靴。
【請求項５９】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記ヒールアウトソールパッチにより画定され且つ前記ミッドソールおよび前記インソールの対応する部分を備える靴の領域は０．４５キログラム重／インチ〜０．５５キログラム重／インチのばね定数を有し、
（ii）前記爪先アウトソールパッチまたは前記ヒールアウトソールパッチは０．８〜１．５の耐久性係数を有し、
（iii）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、
靴。
【請求項６０】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）前記ミッドソールの第２表面の前記ヒール部分にクッションインサートを固定することと、
（Ｄ）女性の足を受容するための内側部分であって、爪先キャビティおよびヒールキャビティを備える内側部分を形成するアッパーを、（ｉ）爪先端部、（ii）ヒール端部、（iii）内側側部、および（iv）外側側部を有する前記ミッドソールに縫い合わせることであって、縫い合わせること（Ｄ）により、前記ミッドソールの外辺部は前記アッパーに縫い合わされ、それにより、第１シームにより囲まれた前記内側部分に対する底部が形成されることと、
（Ｅ）前記内側部分の前記底部にインソールを固定することと、
を含み、
前記縫い合わせること（Ａ）および前記縫い合わせること（Ｂ）は、（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティ含む前記アッパーの部分が前記ヒールキャビティに押し込まれるよう前記靴が前記軸を中心に折り曲げられた折畳状態と、の間で折り畳まれるよう構成され、前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、前記靴の前記ＯＲ比は７．０より大きい、
方法。
【請求項６１】
Ｔは５．０ｍｍより大きい、請求項４８に記載の靴。
【請求項６２】
Ｔは８．０ｍｍより大きい、請求項４８に記載の靴。
【請求項６３】
前記爪先アウトソールパッチは５．０ｍｍを超える厚みを有する、請求項１に記載の靴。
【請求項６４】
Ｄは２．０ｍｍより小さい、請求項４８に記載の靴。
【請求項６５】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１に説明される女性用靴寸法のうちのいずれかから選択された女性用靴寸法を有し、Ｄ、Ｔ、Ｗ、およびＭに対する値は前記選択された女性用靴寸法に対して表１に与えられた、
請求項１から請求項３７のいずれか１項に記載の靴。
【請求項６６】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（Ａ）（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１に説明される女性用靴寸法のうちのいずれかから選択された女性用靴寸法を有し、Ｄ、Ｔ、Ｗ、およびＭに対する値は前記選択された女性用靴寸法に対して表１に与えられた、
靴。
【請求項６７】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表２に与えられた、
請求項１から請求項３７のいずれか１項に記載の靴。
【請求項６８】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（Ａ）（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表２に与えられた、
靴。
【請求項６９】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表３に与えられた、
請求項１から請求項３７のいずれか１項に記載の靴。
【請求項７０】
女性の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、
を備える靴であって、
（Ａ）（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表３に与えられた、
靴。
【請求項７１】
前記第２縁部の第２部分は、その深度を小さくするために削られたアキレス領域により特徴付けられる、請求項１５に記載の靴。
【請求項７２】
前記アッパーは（ｉ）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、
前記第２縁部の第２部分は、その深度を小さくするために削られたアキレス領域により特徴付けられる、
請求項４８に記載の靴。
【請求項７３】
前記アッパーは（ｉ）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、前記弾性制限部は接着剤を用いることなく靴に縫い付けられる、
請求項１に記載の靴。
【請求項７４】
前記アッパーは（ｉ）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、前記弾性制限部は接着剤を用いることなく靴に縫い付けられる、
請求項４８に記載の靴。
【請求項７５】
前記ミッドソールは前記ミッドソールの露出されない部分に固定された柔軟性材料を用いて補強される、請求項１に記載の靴。
【請求項７６】
前記ミッドソールは前記ミッドソールの露出されない部分に固定された柔軟性材料を用いて補強される、請求項４８に記載の靴。
【請求項７７】
前記内側部分の前記底部は発泡インレイをさらに備え、前記インソールは接着剤により前記発泡インレイに固定され、硬質インサートが前記発泡インレイと前記ミッドソールとの間に挿入される、請求項１に記載の靴。
【請求項７８】
前記内側部分の前記底部は発泡インレイをさらに備え、前記インソールは接着剤により前記発泡インレイに固定され、硬質インサートが前記発泡インレイと前記ミッドソールとの間に挿入される、請求項４８に記載の靴。
【発明の詳細な説明】
【技術分野】
【０００１】
関連出願の相互参照
本願は、「Ｓｐｌｉｔ−Ｓｏｌｅ  Ｆｏｏｔｗｅａｒ」を発明の名称とする２０１１年８月１０日に出願された米国特許出願第１３／２０７，３９７号の優先権を主張する。
【０００２】
本開示はフットウェアに関し、より詳細にはスプリットソール靴に関する。
【背景技術】
【０００３】
従来のフットウェアは、スタイル性と履き心地という困難な選択を着用者に課すという構造上の限界を有する。その結果、多くの人が、顕著な足の痛みに耐えるか、または、あまり魅力的でない靴もしくは状況に相応しくないスタイルを選択せざるを得ない。この問題を解決するために、一部の女性は、追加的なフットウェアを自動車に置くか、または大型バッグに入れて持ち運んでいる。しかし、予備の従来の靴を持ち運ぶことは、携帯性に関して寸法上および容積上の限界があるため理想的であるとは言いがたい。軽量で丸めることまたは折り畳むことが可能な携帯性に優れた靴は入手可能である。しかし、係る製品は、折畳不能な靴において望まれる支持性、耐久性、履き心地、またはスタイルを有するものではない。
【０００４】
さらに先行技術に係る折畳可能な靴は、靴のミッドソールおよびアッパーを適切に保護せず、そのため靴が早く摩耗してしまう（靴に対する裂断または損傷を含む）ようなアウトソールを有する。さらに、このような靴は一般に軟弱である、換言すると、足を十分に支持または保護することがない。例えば、多くの折畳可能な靴はブランドおよびモデルに応じて０．１４キログラム重／インチ〜０．３４キログラム重／インチの全体ばね定数を有する。このような靴は、抵抗性、保護性、および支持性をほとんど提供しないかまたは全く提供せず、したがって特に屋外または荒れた地形（例えば、汚れた歩道、石、その他）における反復的な使用または長期にわたる使用に対して適したものではない。さらに、このような靴は、適度に使用するだけであったとしても、一般的な靴の寿命を持続するだけの十分な耐久性を有さない。したがって、いくつかのフットウェア設計においては靴の十分な寿命と携帯性との間のギャップを埋めるための努力がなされてきたが、実際的な解決はまだ得られていない。
【０００５】
先行技術に係る靴製造プロセスでは、アウトソールがミッドソールに縫い付けられる。これらのアウトソールは、靴の底部に位置し、摩耗および裂断からミッドソールおよびアッパーを保護し、さらに支持性および硬質性を靴全体に提供する。アウトソールが縫い付けられた後、ミッドソールはアッパーおよびインソールに縫い付けられ、それにより単一のシームが形成される。この単一のシームは靴の外辺部を横切り、実質的にミッドソールから靴のアッパーを線引きする。このようなプロセスは製造上の効率性のために有利ではあるが、アウトソールの特性を考慮すると、係る手法の欠点が露呈してしまう。ミッドソール、アッパー、およびインソールを縫い合わせるために用いられるミシンの縫製ホイル（ｓｅｗｉｎｇ  ｗｈｅｅｌ）は、ミッドソールに予め縫い付けられたアウトソールと干渉する。その結果、ジレンマが生じることとなる。理想的なアウトソールパッチは１）足の保護と、２）履き心地の提供と、３）ミッドソール、アウトソール、およびインソールを固定するシームを保護することによる耐久性の提供と、を行うよう機能する。したがって、理想的なアウトソールパッチは、アウトソールの外辺部がシームに近接するよう、厚みが大きく且つ幅が広い。しかし、アウトソールが厚肉化され、アッパー、ミッドソール、およびインソールを固定するシームに近接するにつれて、シームは一層困難となり、次第に縫い合わせることが不可能となる。したがって、先行技術の靴は（ｉ）厚みが小さく且つ幅が広いアウトソールパッチ、または（ii）幅が狭く厚みが大きいアウトソールパッチを用いて構築される。さらに先行技術の靴については、クッションインサートをインソールの下方に追加する能力に限界がある。この理由は、このようなクッションインサートの挿入により、シームの扱いがより困難となり、アウトソールパッチの幅狭化および薄肉化が余儀なくされ、それにより靴の不安定性が増大化され、および／または靴の耐久性および足の保護性が劣化してしまうためである。したがって、先行技術の靴においては、靴の履き心地と耐久性とが靴の安定性に対してトレードオフの関係にある。このように、ジレンマは明白となる。厚肉化および幅狭化されたアウトソールの場合、アウトソールの外辺部とシームとの間の間隙による支持の欠如は顕著となり、履き心地を損なわせ、シーム、アッパー、およびミッドソールは地面に対して露出した状態に置かれることとなる。厚肉化および幅狭化されたアウトソールの場合、アウトソールの外辺部とシームとの間の間隙による支持の欠如はさほど顕著ではない。しかし、このような事例において、アッパー、ミッドソール、およびシームは地面が露出され、アウトソールはより早期に摩耗することとなり、靴により提供される保護および履き心地が限定されたものとなってしまう。
【発明の概要】
【発明が解決しようとする課題】
【０００６】
以上の背景を考慮すると、改善された折畳可能な靴の設計および改善された靴製造プロセスが当該技術分野において必要である。
【課題を解決するための手段】
【０００７】
本開示は、改善された折畳可能な靴を提供することにより、先行技術に関する前述の欠点および他の欠点を解決する。本開示の靴は、靴が折畳可能であり、引っ張り紐付きのポーチ内に収容可能である、スプリットソール型の女性用靴である。スプリットソールは、ヒールアウトソールパッチおよび爪先アウトソールパッチ（これら２つのパッチの間に間隔が存在する）により定義される。本開示の靴においては、有利に、アッパーとミッドソールとがシームにおいて組み合わされ、インソールは別個に追加される。したがって、インソールは、ミッドソールとアッパーとを接合するシームに対して同時に縫い合わされない。これにより、（ｉ）ヒールアウトソールパッチおよび爪先アウトソールパッチの外辺部が、ミッドソールをアッパーに接合するシームに一層近接し、（ii）アウトソールパッチが厚肉化されることとなり、それによりシーム、ミッドソール、およびアッパーがより良好に保護され、足に対するより優れた支持および履き心地が提供され、靴の中敷がより硬いものとなり、厚肉化されたより実質的なクッションの挿入が可能となる。
【０００８】
一部の実施形態において、アウトソールパッチは縫い付けが施される。一部の実施形態において、アウトソールパッチは、縫い付けおよび接着の両方が施される。パッチの縫い付けを支援するために、各アウトソールパッチの外辺部の近傍に深い溝部が提供される。これらの深い溝部は、これらのパッチとミッドソールとの間にシームを形成するために用いられる。このシームを形成するために用いられる糸は、溝部が深いため、より良好に保護され、それにより靴の耐久性が改善され、シーム上における摩耗が防止される。
【０００９】
本開示の靴は女性用スプリットソール型の既知の靴に較べてばね定数が改善される。一部の実施形態において、全体的な靴のばね定数は０．４０キログラム重／インチ〜０．７０キログラム重／インチ、または０．５５キログラム重／インチ〜０．６５キログラム重／インチである。この改善されたばね力定数により、支持が増大化され、着用期間の延長が可能となる。
【００１０】
一部の実施形態において、女性用靴においてしばしば用いられる発泡インレイを提供することに加えて、本開示の靴は、靴のヒール部分にクッションインサートを挿入し、それにより支持および履き心地の向上が可能である。さらに、このヒール部分は、靴のヒール端部と爪先端部との中間の位置よりも靴のヒール端部のほうが厚い。係るテーパ状の厚みにより、履き心地、支持、およびスタイル性が向上する。
【００１１】
女性の足を受容するアッパーの縁部に弾性制限部を配置することは周知であるが、本開示の靴は、弾性制限部を靴のヒール部分において終了させることにより、改善された設計を提供する。弾性制限部を用いるよりもむしろ、埋め込まれたクッション（アキレスクッション）が、履き心地をより優れたものとするために提供される。
【００１２】
同様の参照番号は、いくつかの図面を通して、対応するパーツを参照する。
【図面の簡単な説明】
【００１３】
【図１】靴が伸展状態にある本開示の一態様に係る靴の斜視図を示す。
【図２】靴が伸展状態にある本開示の一態様に係る靴の側面図である。
【図３】靴が伸展状態にある本開示の一態様に係る靴の上面図である。
【図４】靴が伸展状態にある本開示の一態様に係る靴の正面図である。
【図５】靴が伸展状態にある本開示の一態様に係る靴の背面図である。
【図６】靴が伸展状態にある本開示の一態様に係る靴の断面側面図である。
【図６Ａ】図６の領域６Ａ−６Ａの周囲の断面図である。
【図６Ｂ】図６の領域６Ｂ−６Ｂの周囲の断面図である。
【図７】靴が伸展状態にあるクッションインサートを示す本開示の一態様に係る靴の斜視図である。
【図８】靴が伸展状態にある本開示の一態様に係る靴の切取斜視図である。
【図９】靴が伸展状態にある本開示の一態様に係る靴の底面図である。
【図９Ａ】図９の線９Ａ−９Ａの周囲の差込透視図である。
【図９Ｂ】図９の線９Ｂ−９Ｂの周囲の図９Ｂの差込断面図である。
【図１０】本開示の１対の靴が折畳状態で格納され得る、蓋を有するコンパクトボックスを示す図である。
【図１１】靴が折畳状態（爪先キャビティを含むアッパーの部分がヒールキャビティに押し込まれるよう靴が１本の軸を中心に折り曲げられた状態）にある本開示の一態様に係る靴の斜視図である。
【図１２】本開示の靴を格納するために用いられ得る引っ張り紐付きのポーチの斜視図である。
【図１３】本開示に係る靴および他の物品を格納するために用いられ得るトートバッグの斜視図である。
【発明を実施するための形態】
【００１４】
図１〜図５は、本開示に係る靴のそれぞれ斜視図、側面図、上面図、正面図、および背面図を提供する。図１および図２の斜視図および側面図から、本開示に係る靴は、着用時には、従来の硬質ソール靴と何ら異ならないように見受けられる。しかし本開示に係る靴は、着用者の身支度を略式化することなく、設計、折畳可能性、および履き心地における自由度を提供する。一部の実施形態において、クッションインサートは硬い表面上の歩行に起因して足に加えられる衝撃を吸収する。弾性制限部６０は、足をグリップし様々な寸法および形状の足に密着嵌合するために、アッパー２の頂部の周囲に提供される。一方、弾性制限部６０は、後部（仮にこの部分に弾性制限部６０が提供された場合、弾性制限部６０がアキレス腱エリアをグリップすることとなり、着用者に不快感を与えてしまう）の手前で終了することにより、足全体を囲まないよう設計される。その代わりに、アキレスクッション５６が、普通は弾性制限部６０を包囲するはずの上方折り目に埋め込まれ、それにより履き心地が向上する。さらに、一部の実施形態において、アッパー２のアキレスヒール部分はその深度を小さくするために削られる。靴のこの部分を削ることにより、通常の場合には突出して足に接触するはずのシームが小さくなり、その結果履き心地が向上する。
【００１５】
弾性制限部６０は、着用時にアッパー２の開口部が足の寸法に伸張されるよう、アッパー２の開口部に固定される。一部の実施形態において、弾性制限部６０は、これら２つの材料が最も確実に固定されるよう、アッパー２に対して縫い付けおよび接着が施される。一部の実施形態において、弾性制限部６０は、アッパー２に対して縫い付けられるが接着されない。接着することなく弾性制限部を縫い付けることにより、弾性部分が伸張される最大量が増加する。これにより、より多くの足寸法において快適なフィットが可能となる。加えて、弾性部分を接着しないことにより、弾性制限部の自然な回復率が保持され、履き心地がより優れたものとなると同時に弾性部分の耐用年数が延長される。
【００１６】
図６を参照すると、柔軟性インソール３０は、携帯性を損なうことなく、より優れた履き心地を提供し、固定式または着脱式であり得る。所望により、柔軟性インソール３０は土踏まずを支持する。靴は、接着剤によりインソール３０に固定された発泡インレイ４４をさらに備える。一部の実施形態において、柔軟な土踏まず支持部は、携帯性を損なうことなく履き心地を高める。柔軟な土踏まず支持部は、靴の折り畳みを制限することがなく、固定式または着脱式であり得る。一部の実施形態において、ミッドソール８は、ミッドソールの内側でインソール３０の下方（例えばミッドソール８と発泡インレイ４４との間）に柔軟性材料を固定することにより補強される。係る手法でのミッドソール８の補強はいくつかの利点を有する。第１に、フットウェアの屈曲点が携帯性を損なうことなく強化される。第２に、歩行表面との接触に起因する破壊的摩擦を最も被る可能性が高いミッドソール８の部分が、その応力により良好に耐えるよう強化される。第３に、爪先アウトソールパッチの縁部と接触するミッドソール８の部分が裂断に対してより高い抵抗を示す。一部の実施形態において、係る補強は発泡インレイ４４の代替として提供される。一部の実施形態において、係る補強は発泡インレイ４４に追加して提供される。
【００１７】
一部の実施形態において、硬質インサートが、発泡インレイ４４とミッドソール８との間に挿入される。この硬質インサートは、ミッドソール８の幅を、ミッドソール８の爪先からフットウェアが折り畳まれる中間点３２まで延長する。硬質インサートをこのように挿入することにより、着用時、フットウェアの繊細な部分（例えばアッパー２）と歩行表面との間により大きい間隔が保持される。この間隔を増大化することにより、耐久性が改善される。
【００１８】
引き続き図６を参照すると、靴は３つの独特な形状を有する構成要素、すなわちミッドソール８、ヒールアウトソールパッチ２４、および爪先アウトソールパッチ２６を備える。一部の実施形態において、ミッドソール８は、柔軟性を有しつつも耐久性を有する材料（例えば高級皮革）から作製される。一部の実施形態において、ヒールアウトソールパッチ２４および爪先アウトソールパッチ２６は、全天候に対応する滑り止め材料で構築される。一般的な実施形態において、ヒールアウトソールパッチ２４および爪先アウトソールパッチ２６は、別々にミッドソール８に縫い付けられる。常時着用する靴として必要な耐久性および安全性を満たすために要求される材料は硬すぎるため、折り畳みに必要な柔軟性を提供できない。したがって、好適な実施形態において、ヒールアウトソールパッチ２４および爪先アウトソールパッチ２６は別々であり、靴の折り畳みが可能となるようヒールアウトソールパッチ２４と爪先アウトソールパッチ２６との間に間隔３２が存在する状態でミッドソール８に別々に縫い合わされる。ヒールアウトソールパッチ２４および爪先アウトソールパッチ２６の寸法および形状は、コンパクトな寸法および最小の重量により耐久性、快適性、および実用性が最適にバランスするよう設計される。ヒールアウトソールパッチ２４および爪先アウトソールパッチ２６の形状は、空間的に効果的な方法で、足に対する保護を最大化する。一部の実施形態において、ヒールアウトソールパッチ２４および爪先アウトソールパッチ２６の外形は、着用時に追加的な高さが魅力的に提供されるよう、および着用時にミッドソール８と地面との間の隙間が増大化されるよう、傾斜される。係る実施形態において、傾斜は、２つの靴が積み重ねられたとき、高い箇所と低い箇所が合致して、圧縮された対の組み合わされた厚みが顕著に短縮化され、それにより携帯性が向上するよう、設計される。
【００１９】
靴のアッパー２は、靴の中央部における反復的な折り畳みに耐え、且つ折り畳まれた姿勢での長期間の格納に耐え得るよう設計された、柔軟性を有しつつ耐久性も兼ね備えた高品質な材料で作製される。係る材料は、接合部表面における亀裂と表面との接触に起因する損傷とを低減または排除する。アッパー２は、足の頂部および側部を覆い包むよう、構築され縫い付けられる。アッパーおよびアウトソールの特定比率は、柔らかいアッパー２が広い足および狭い足にあわせて成形されること、それにより各着用者の足の特定形状にあわせて成形されること、さらに履き心地上の利点およびスタイル上の利点が追加されること、も可能にする。係る比率は、格納性および携帯性のために折畳状態にあるときの靴の体積も縮小化する。丸みを帯びた爪先キャビティ６および覆い包むアッパーの設計は、費用がかさむハーフサイズおよび／または変動幅の在庫に対する必要性を低減または削減する一方で、耐久性および履き心地を備えるデザインを保持することにより、商業上の訴求性を増大化させる。この設計は、特徴的な色彩、感触、装飾性等のアッパーを介して、ファッション性要素に対する大きい柔軟性を可能にする。着用時、靴は、従来の固定式ソールのフットウェアと全く異ならない外観を有し、スタイルが向上し、よりフォーマルな服装とあわせての着用も可能である。
【００２０】
図１３を参照すると、折り畳みおよび圧縮後にコンパクト格納用ポーチ（図１２）に格納可能である、軽量で、耐久性があり、再利用可能な、自己格納式の、把手を有するトートバッグは、折畳可能な靴システムの有用性を一層向上させる。一般的な実施形態において、ポーチは、２方向に伸長可能な材料から作製され、体積が最小となる形状（例えば略球形形状）へと自己折畳可能である。一部の実施形態において、ポーチの縫い合わせは（例えばジグザグ式の縫い合わせを用いることにより）この伸張を支援する。一部の実施形態において、伸張性糸材料が係る縫い合わせに用いられる。
【００２１】
有利に、トートバッグはトートバッグのポケット内に折り畳まれ得る。一部の実施形態において、このポケットは、トートバッグが非折畳状態にあるときは、トートバッグの内側にある。一部の実施形態において、ポケットは、トートバッグが折畳状態にあるとき、圧縮されるよう、弾性材料から作製される。望ましい場合には、トートバッグは、追加的な物品のための体積が十分に存在する状態で、追加的な対の靴が担持されるよう拡張する。一部の実施形態において、このポケットは、２方向に伸長可能な材料から作製され、体積を最小化させる形状（例えば、略球形形状）へと自己折畳可能である。
【００２２】
図１２を参照すると、伸張性のナイロン、ポリエステル、または同様の材料から作製されたポーチは、折畳可能なフットウェアおよび関連物品を安全且つ清潔に格納することにより、機能性を向上させる。ポーチは、格納時または輸送時は寸法が最小化されるよう、折畳構成においてフットウェアを圧縮する。ポーチの底部における丸みを帯びた縁部は、体積を減少化させ、圧縮を増大化させる。ポーチは、体積を最小化するために、フットウェアと比較してちょうどわずかに小さい寸法を有する。ポーチ開口部の周りの引っ張り紐は圧縮をさらに支援し、汚れた靴を財布またはポケット内容物から遮蔽する。ポーチの一方の側部に配置されたポケットは、トートバッグおよび／または他の物品の圧縮された格納を可能にする。
【００２３】
本開示の折畳可能な靴の設計は、従来の硬質ソール製品と同じく、様々な表面、天候、ファッション、その他に好適である、通常の様式でのフットウェアの着用を可能にする。格納または携帯性が望まれる場合、靴は略中間点において手動で折り畳まれ、それにより靴の長さが半分に縮小される。折畳構成において、靴は、圧縮および携帯性を最大化するために、コンパクト格納用ポーチ内で束ねられて配置されることが可能である。ポーチ内に格納されると、１対の靴はほぼ財布大の空間を必要とし、財布またはポケット内に担持され得る。
【００２４】
本発明に係る靴の概要をこれまで開示してきたが、本開示の靴に関する特定の特徴および様々な実施形態についてこれから説明する。図７を参照すると、本開示に係る靴が示される。靴はアッパー２を備える。アッパー２は、女性の足を受容するための内側部分６２を形成する。内側部分は、爪先キャビティ４およびヒールキャビティ６を備える。
【００２５】
図９を参照すると、靴はさらにミッドソール８を備える。ミッドソール８は、（ｉ）爪先端部１０、（ii）ヒール端部１２、（iii）内側側部１４、および（iv）外側側部１６を備える。ミッドソール８の外辺部はアッパー２に縫い合わされる。ミッドソール８がアッパー２に縫い合わされると、それにより、第１シーム２２により囲まれた内側部分６２に対する底部が形成される。ヒールアウトソールパッチ２４はミッドソール８の第１表面のヒール部分に縫い合わされる。爪先アウトソールパッチ２６はミッドソール８の第１表面の爪先部分に縫い合わされる。
【００２６】
一般的な実施形態において、ヒールアウトソールパッチ２４および爪先アウトソールパッチ２６は、ミッドソール８がアッパー２に縫い合わされる前に、ミッドソールに縫い合わされる。
【００２７】
図６を参照すると、（ｉ）ミッドソール８の第１表面のヒール部分に縫い合わされたヒールアウトソールパッチ２４と、（ii）ミッドソール８の第１表面の爪先部分に縫い合わされた爪先アウトソールパッチ２６と、の間に間隔３２が存在する。間隔３２はミッドソール８の内側側部１４から外側側部１６まで延長し、ミッドソール８の爪先端部１０とヒール端部１２との中間の位置を占め、それにより、靴全体が内側側部１４と外側側部１６との間に延びる間隔３２における軸３４を中心に折り畳まれることが可能である。一部の実施形態において、この間隔は４／８インチ〜６／８インチである。一部の実施形態において、この間隔は約５／８インチである。これらの測定値を求めることについては、内側側部１４および外側側部１６により囲まれた領域におけるヒールアウトソールパッチ２４と爪先アウトソールパッチ２６との間の「平均」距離を求めるとよい。例えば、内側側部１４および外側側部１６により囲まれた領域におけるいくつかの異なる点において、ヒールアウトソールパッチ２４の縁部と爪先アウトソールパッチ２６の縁部との間の距離を測定し、これらの測定値の平均値を求め、それによりヒールアウトソールパッチ２４と爪先アウトソールパッチ２６との間の距離を決定するとよい。一部の実施形態において、これらの間隔は、単にヒールアウトソールパッチ２４と爪先アウトソールパッチ２６との間の切れ目である。
【００２８】
図６への参照を継続して、インソール３０は接着剤により内側部分の底部に固定される。
【００２９】
靴は、（ｉ）ヒールアウトソールパッチ２４と爪先アウトソールパッチ２６とが同一平面上にあるかまたは略同一平面上にある伸展状態（図１〜図９）と、（ii）爪先キャビティ４を含むアッパー２の部分がヒールキャビティ６に押し込まれるよう靴が軸３４を中心に折り曲げられた折畳状態（図１１）と、の間で折り畳まれるよう構成される。
【００３０】
一部の実施形態において、インソール３０はアッパー２に縫い合わされない。したがって、係る実施形態においては、図９に図示する第１シーム２２は、アッパー２とミッドソール８とは接合するが、インソール３０は接合しない。図９を参照すると、このことにより実質的な長所が提供される。この理由は、ヒールアウトソールパッチ２４および爪先アウトソールパッチ２６の外辺部（縁部）は、第１シームがアッパー２、ミッドソール８、およびインソール３０を一体化する場合よりも、より第１シーム２２に対して近接することが可能となり、ヒールアウトソールパッチおよび爪先アウトソールパッチの厚肉化およびインソールにおけるクッションの堅固化（例えば厚肉化および硬質化）が可能となるためである。この距離は図９Ａにおいて距離１０４として図示される。したがって、第１シーム２２がアッパー２およびミッドソール８のみを接合する実施形態においては、爪先アウトソールパッチ２６の後部コーナー６４の縁部は第１シーム２２の一部分の１／４インチ内にある。アウトソールパッチの厚みおよびシーム２２に対する近接性は、第１シーム２２と間隔３２におけるミッドソール８の領域とを摩耗および裂断から保護するよう有利に機能する。一部の実施形態において、爪先アウトソールパッチ２６の前部コーナー６６の縁部は、第１シーム２２の一部分の１／４インチ内にある。
【００３１】
一般的な実施形態において、爪先アウトソールポーチ２６の縁部と第１シーム２２との間の距離１０４は均一である。この距離１０４が均一である一部の実施形態において、爪先アウトソールパッチ２６の（ｉ）後部コーナー６４の縁部、および（ii）前部コーナー６６の縁部は、それぞれ第１シーム２２の対応する部分の４／８インチ、３／８インチ、または２／８インチ内にある。
【００３２】
一部の実施形態において、ヒールアウトソールパッチ２４の後部コーナー６８の縁部は、第１シーム２２の一部分の３／１６インチ内にある。一部の実施形態において、ヒールアウトソールパッチ２４の前部コーナー７０の縁部は、第１シーム２２の一部分の２／４インチ〜３／４インチ内にある。一部の実施形態において、ヒールアウトソールポーチ２４の縁部と第１シーム２２との間の距離１０４は均一である。この距離１０４が均一である一部の実施形態において、ヒールアウトソールパッチ２４の（ｉ）後部コーナー６８の縁部、および（ii）前部コーナー７０の縁部は、それぞれ第１シーム２２の対応する部分の４／８インチ、３／８インチ、または２／８インチ内にある。一部の実施形態において、ヒールアウトソールポーチ２４の縁部と第１シーム２２との間の距離１０４は均一ではない。この距離１０４が均一でない一部の実施形態において、ヒールアウトソールパッチ２６の後部コーナー６８の縁部は、第１シーム２２の対応する部分の３／８インチ内または２／８インチ内にある。
【００３３】
係る近接した距離１０４は、説明した組立方法により可能となるゴムの厚みおよびクッションの硬質性と組み合わされて、ミッドソール８およびアッパー２の保護を支援する。それにより、靴の耐久性が保証されると同時に、柔軟性および履き心地を保持する折畳可能なデザインが可能となる。
【００３４】
図９Ａを参照すると、本靴の比類のない改善された特徴は耐久性係数の値である。ここで用いられる用語「耐久性係数」は、アウトソールパッチの厚み１０６をアウトソールパッチの縁部と第１シーム２２との間の距離１０４で割った値として定義される。一部の実施形態において、距離１０４は４ｍｍ、厚み１０６も４ｍｍであり、したがって耐久性係数は１となる。一部の実施形態において、距離１０４は４ｍｍ、厚み１０６は５ｍｍであり、したがって耐久性係数は１．２５となる。一部の実施形態において、耐久性係数は０．８〜１．５である。一部の実施形態において、耐久性係数は０．９〜１．４である。一部の実施形態において、耐久性係数は１．０〜１．３である。
【００３５】
一部の実施形態において、ヒールアウトソールパッチ２４および爪先アウトソールパッチ２６は、有利には、厚みがそれぞれ少なくとも３／３２インチである。一部の実施形態において、ヒールアウトソールパッチ２４および爪先アウトソールパッチ２６は、有利には、厚みがそれぞれ少なくとも４／３２インチである。一部の実施形態において、ヒールアウトソールパッチ２４および爪先アウトソールパッチ２６は、有利には、厚みがそれぞれ少なくとも５／３２インチである。一部の実施形態において、ヒールアウトソールパッチ２４および爪先アウトソールパッチ２６は、有利には、厚みがそれぞれ少なくとも６／３２インチである。一部の実施形態において、ヒールアウトソールパッチ２４および爪先アウトソールパッチ２６は、厚みがそれぞれ少なくとも７／３２インチである。一部の実施形態において、ヒールアウトソールパッチ２４および爪先アウトソールパッチ２６は、厚みがそれぞれ少なくとも８／３２インチである。これらの厚みは、ソールのばね定数を増大化させ、それにより、足に対する支持が高められ、靴の耐久性が向上する。図１を参照すると、アウトソールパッチの厚み、およびアウトソールパッチの縁部に対する近接性により、女性が水平面に対して直立する場合に靴が女性の足に着用されたとき、水平面１０２から少なくとも４５度の角度１００でアウトソールパッチの側部は可視である。一部の実施形態において、女性が水平面に対して直立する場合に靴が女性の足に着用されたとき、水平面１０２から、少なくとも５０度、少なくとも５５度、または少なくとも６０度の角度１００で、アウトソールパッチの側部は可視である。アウトソールパッチのこの可視性は、ここでは開示される靴の寸法および形状をただ説明するために記載される。
【００３６】
一部の実施形態において、ヒールアウトソールパッチ２４および爪先アウトソールパッチ２６は、エラストマーから作製される。用いられ得る代表的なエラストマーは、Ｍａｒｋｓ’  Ｓｔａｎｄａｒｄ  Ｈａｎｄｂｏｏｋ  ｆｏｒ  Ｍｅｃｈａｎｉｃａｌ  Ｅｎｇｉｎｅｅｒｓ，  １９８７，  Ａｖａｌｌｏｎｅ  ａｎｄ  Ｂａｕｍｅｉｓｔｅｒ，  ｅｄｓ．，  ＭｃＧｒａｗ−Ｈｉｌｌ，  Ｎｅｗ  Ｙｏｒｋ，  ｐｐ．  ６−１６１  ｔｈｒｏｕｇｈ  １−１６３に記載の、天然ゴム、加硫処理された天然ゴム、ＧＲ−Ｓ等のブタジエン−スチレン・コポリマー、ネオプレン、ニトリルゴム、ブチル、多硫化ゴム、エチレン−プロピレンゴム、ポリウレタンゴム、およびシリコーンゴムを含むがこれらに限定されない。なお、同文献は参照することにより本明細書に援用される。一部の実施形態において、ミッドソール８は皮革から作製される。
【００３７】
図６、図６Ａ、および図６Ｂを参照すると、一部の実施形態において、靴はミッドソール８により特徴付けられる。ヒールアウトソールパッチ２４および爪先アウトソールパッチ２６はミッドソール８の第１表面上に縫い付けられる。ミッドソール８は、ヒール部分６８および爪先部分７０を有する第２表面を備える。一部の実施形態において、クッションインサート４６はミッドソール８の第２表面のヒール部分６８に接着される。インサート４６は、硬い表面上を歩行する際に足に加わる衝撃を吸収する。インサート４６は時間の経過につれて足の形状に合致するようになる。発泡インレイ４４は、（ｉ）クッションインサート４６および（ii）ミッドソール８の第２表面の爪先部分７０に接着される。次に、インソール３０は接着剤により発泡インレイ４４に固定される。クッションインサート４６は、第１端部７６および第２端部７８により特徴付けられる。クッションインサート４６の第１端部７６はヒール部分６８の第１部分７２に接着され、クッションインサート４６の第２端部７８はヒール部分６８の第２部分７４に接着される。ヒール部分６８の第１部分７２は、ヒール部分６８の第２部分７４よりも、ミッドソール８の第２表面の爪先部分７０に一層近接する。一部の実施形態において、クッションインサート４６の第１端部７６の厚みはクッションインサート４６の第２端部７８の厚みよりも小さい。一部の実施形態において、クッションインサート４６は、ミッドソールの爪先部分７０から最も近いクッションインサートの部分の厚みがミッドソール８の爪先部分７０から最も遠いクッションインサート４６の部分の厚みよりも小さくなるよう、ミッドソール８の第２表面の爪先部分７０からの距離の関数としてクッションインサート４６に沿って厚くなる。一部の実施形態において、クッションインサート４６の最大厚みは、３ミリメートル以上、４ミリメートル以上、５ミリメートル以上、６ミリメートル以上、７ミリメートル以上、または８ミリメートル以上である。これは、靴により提供される支持を、特にヒールにおいて、改善するよう有利に機能し、望ましい持ち上げを提供し、硬質性を増大化させ、それにより耐久性を向上させる。
【００３８】
足の支持を改善するために厚みが次第に高くなることに加えて、クッションインサート４６は硬質材料（例えば硬質のエチレンビニルアセテートまたは同様のクッション材料等）から作製される。一部の実施形態において、クッションインサート４６は４５〜７０または６０〜７０のショアＡ硬度を有する。一部の実施形態において、クッションインサート４６は０．３０ｇ／ｃｍ３〜０．５ｇ／ｃｍ３、０．４０ｇ／ｃｍ３〜０．５ｇ／ｃｍ３、０．４５ｇ／ｃｍ３〜０．５ｇ／ｃｍ３、または０．５０ｇ／ｃｍ３〜０．７０ｇ／ｃｍ３の密度を有する。
【００３９】
ヒールアウトソールパッチ２４および爪先アウトソールパッチ２６の厚みと、これらのパッチを作製するために用いられた材料と、これらのパッチのシーム２２に対する近接性と、クッションインサートを追加する能力と、は、ばね定数を既知の折畳可能な靴に対して大いに改善することに寄与する。一部の実施形態において、靴のヒール部分６８（すなわちヒールアウトソールパッチ２４の領域）において縦方向に計測した靴の全体ばね定数は０．４０キログラム重／インチ〜０．７０キログラム重／インチである。一部の実施形態において、靴のヒール部分６８において縦方向に計測した靴の全体ばね定数は０．４５キログラム重／インチ〜０．６５キログラム重／インチ、または０．５５キログラム重／インチ〜０．６５キログラム重／インチである。一部の実施形態において、靴のヒール部分６８において縦方向に計測した靴の全体ばね定数は約０．６キログラム重／インチである。図６を参照すると、このようなばね定数測定値を達成するにあたっては部分６８および部分７０は別々に測定される。各領域に対して、靴が直立姿勢にある状態で、一方端（すなわち長手方向に延長し着用時に靴が上向き状態にある部分６８または部分７０の一方端）を固定しておき、引き続き、測定される靴の部分６８または部分７０の他方端を固定距離（例えば１インチ）だけ押し下げ、次に、押し下げられた端部により印加される力を測定する。
【００４０】
一部の実施形態において、靴の爪先部分７０（すなわち爪先アウトソールパッチ２６の領域）において縦方向に計測した靴の全体ばね定数は０．４０キログラム重／インチ〜０．７０キログラム重／インチである。一部の実施形態において、靴の爪先部分７０において縦方向に計測した靴の全体ばね定数は０．４５キログラム重／インチ〜０．６５キログラム重／インチ、または０．５５キログラム重／インチ〜０．６５キログラム重／インチである。一部の実施形態において、靴の爪先部分６８において縦方向に計測した靴の全体ばね定数は約０．６キログラム重／インチである。
【００４１】
本開示の一部の実施形態に係る靴の他の有利な特徴は、縫い合わせを保護する一方でミッドソール８へのパッチの縫い合わせを支援するヒールアウトソールパッチ２４および爪先アウトソールパッチ２６の深い溝部である。深い溝部４８は、厚肉化されたアウトソールパッチが用いられると同時にアッパー２をミッドソール８に固定する第１シーム２２に対してアウトソールパッチが近接した有利な設計により可能である。深い溝部４８は、アウトソールパッチをミッドソール９に固定する縫い合わせを、地面との接触（係る接触により縫い合わせが摩耗し、それによりアウトソールパッチが分離してしまうであろう）から保護する。これらの有利な特徴について述べる。インソール３０をミッドソール８にさらに縫い合わせるよりも、むしろアッパー２のみをミッドソール８に縫い合わせて第１シームを形成することにより、ミシン等の従来のプロセスを用いてミッドソール８をアッパー２に縫い合わせることが依然として可能である一方で、距離１０４の最小化およびアウトソールパッチ２４／２６の厚肉化が可能となる。距離１０４の最小化により足の支持を不安定化することなくアウトソールパッチ２４／２６の厚肉化（すなわち距離１０６の増大化）が可能である。アウトソールパッチ２４／２６の厚肉化により第１溝部４８の深度の増大化が可能となり、その結果、溝部内の縫い合わせのより良好な保護が可能となる。さらに、アウトソールパッチの厚肉化により、靴は堅固化され、より長期にわたる使用およびより広範囲の地形（例えばアスファルト上、コンクリート上、汚れた路面上、その他）における使用が可能となる。図９を参照すると、１つの係る有利な実施形態は、少なくとも３／６４インチの深度を有し且つヒールアウトソールパッチ２４の外辺部に近接して形成された第１溝部４８を有する。ヒールアウトソールパッチ２４は、第１溝部４８を占める第１糸を用いて、ミッドソール８の第１表面のヒール部分に縫い合わされる。さらに、少なくとも３／６４インチの深度を有する第２溝部５０は爪先アウトソールパッチ２６の外辺部に近接して形成される。爪先アウトソールパッチ２６は、第２溝部５０を占める第２糸を用いて、ミッドソール８の第１表面の爪先部分に縫い合わされる。一部の実施形態において、第１溝部４８は約３／３２インチである。一部の実施形態において、第２溝部５０は約３／３２インチである。
【００４２】
図５を参照すると、アッパー２は第１端部および第２端部を有する一体として形成される。なお第１端部および第２端部はヒールキャビティにおいて第２シーム５２によって一体化される。一部の実施形態において、アッパー２は２つ以上のピースから形成される。
【００４３】
図３および図９を参照すると、一般的な実施形態において、アッパー２は、（ｉ）第１端部（８０）、（ii）第２端部（８２）、（iii）第１縁部（８４）（図９に見られる）、および（iv）第２縁部（８６）を有する一体として形成される。一部の実施形態において、アッパー２は縫い合わされた２つ以上のピースから形成される。図３を参照すると、一般的な実施形態において、アッパー２は端部１１０Ａおよび１１０Ｂを有する一体である。もちろん、アッパー２は端部１１０Ａおよび１１０Ｂを有する一体に縫い合わされた任意個数のピースにより形成され得る。アッパーが一体から作製されたかまたは複数ピースから作製されたかには関わりなく、端部１１０Ａ（第１端部）および端部１１０Ｂ（第２端部）は、ヒールキャビティ６において第２シーム５２によって一体化され、その結果、アッパー２が完成される。図９を再び参照すると、アッパー２の第１縁部８４はミッドソール８の外辺部に縫い合わされ、それにより第２シーム２２と靴の内側部分に対する底部とが形成される。図３に戻って参照すると、第２縁部８６の第１部分は弾性制限部６０により特徴付けられ、第２縁部の第１部分はヒールキャビティ６まで延びていない。一部の実施形態において、第２縁部８６の第２部分は、ヒールキャビティ６に対して上方境界を提供するアキレスクッション５６により特徴付けられる。さらに、図５を参照すると、一部の実施形態において、半月形ピース５８は第２シーム５２の下方部分を覆い、その一方で帯状部分５４は第２シーム５２の上方部分を覆う。
【００４４】
図１１を参照すると、一部の実施形態において、靴は折畳状態にある。この折畳状態において、靴は、引っ張り紐を有する、伸張性のナイロンまたは同様の材料のコンパクト格納用ポーチ（図１２）に押し込まれ得る。これは、最小寸法に圧縮される一方で清潔且つコンパクトな状態での靴の有利な輸送を提供する。一部の実施形態において、ポーチはトートバッグを保持するためのポケットを備える。なおトートバッグは１対の女性用靴または他の物品および個人的所持品を収容するよう構成される。これにより、路上では本開示の靴をポーチ内に担持し、本開示に係る靴をポーチのポケットから取り出し、折畳形態から拡張させた後に、以前に着用した所望でない靴をトートバッグ内に格納することにより、本開示の靴の着用に切り替えることが可能である。
【００４５】
本開示の靴は、蓋を有するコンパクトボックスに格納され得るよう、折畳状態に押し込むことが有利に可能である。係るコンパクトボックスは図１０に示される。
【００４６】
一部の実施形態において、アウトソールパッチの縁部は２つの方法で面取りされる。第１に、アウトソールパッチの外側縁部は、耐久性および審美的理由のために、急な勾配で面取りされる。急勾配の面取りをアウトソールパッチの外側縁部上に保持することにより、より大きい間隔が歩行表面とフットウェアの柔軟要素との間に保持され、それにより耐久性が向上する。第２に、一部の実施形態において、１つまたは複数のアウトソールパッチの内側縁部は面取りされる。このようにアウトソールパッチを面取りすることにより、アウトソールパッチの縁部とより柔軟なミッドソールとの間の圧力が低減される。この面取り処理は、ミッドソールに固定されないアウトソールパッチの縁部を鈍化および柔軟化する。この縁部を柔軟化することにより、フットウェアの耐久性および長寿命性が改善される。
【００４７】
上述のように、先行技術に係るスプリットソール・フットウェアは特定の限界を有する。一部の実施形態において、先行技術の欠点は、最大アウトソール比（ＯＲ）を達成する靴を提供することにより克服される。なおＯＲは以下のように定義される。
ＯＲ＝（Ｄ×Ｔ×Ｗ）／Ｍ
上記式中、
Ｄ＝第２溝部５０の平均深度、
Ｔ＝爪先アウトソールパッチ２６の平均厚み、
Ｗ=爪先アウトソールパッチ２６の最大幅、
Ｍ=爪先アウトソールパッチ２６の最大幅の点におけるミッドソール８の幅である。ただし、ＷはＭより小さく、Ｄ、Ｔ、Ｗ、およびＭはすべて同一の長さの単位（例えばミリメートル）で与えられる。
したがって、一部の実施形態において、本開示の靴はアウトソール比ＯＲを有する。この比が最大化されると、爪先アウトソールパッチ２６は厚肉化され、爪先アウトソールパッチ２６の縫い合わせが作製される第２溝部５０の深度は増大化され、爪先アウトソールパッチ２６はフットウェアの縁部に近接した状態となる。一部の実施形態において、許容可能なアウトソール比は、可能な限り幅狭化され且つ依然として広い範囲の足幅を収容可能な爪先アウトソールパッチ２６を要求する。爪先アウトソールパッチ２６が幅狭化されるほど、フットウェアはよりコンパクト且つ携帯可能となり、狭い足をより良好に収容するであろう。厚肉化された爪先アウトソールパッチ２６は、起伏のある表面上を歩行する場合に足の安全性および履き心地に対して重要である。
【００４８】
さらに、爪先アウトソールパッチ２６が幅狭化されるにつれて、シームエリアが歩行表面とのより大きい接触を受けることとなるため、縫い合わせのための第２溝部５０の深度がより重要となる。したがって深い溝部５０が、シームの縫い合わせを保護するために必要となる。爪先アウトソールパッチ２６により覆われるミッドソール８、およびアッパー２の縁部に対する爪先アウトソールパッチ２６の近接性も、爪先アウトソールパッチ２６が幅狭化されるにつれて重要度が増加する。フットウェアの縁部に近接する爪先アウトソールパッチ２６の利点については上記でも提示してきた。本開示を考慮すると、これらの同一の原理がヒールアウトソールパッチ２４および第１溝部４８に適用されることが明らかとなるであろう。
【００４９】
以下の表１は、本開示の実施形態に係る、第２溝部５０の平均深度（Ｄ）、爪先アウトソールパッチ２６の平均厚み（Ｔ）、爪先アウトソールパッチ２６の最大幅（Ｗ）、および爪先アウトソールパッチ２６の最大幅の点におけるミッドソール８の幅（Ｍ）に対する好適な値を示す。
【表１】
2018008150.tif 000003
【００５０】
一部の実施形態において、本開示の靴は７．０以上のアウトソール比を有する。一部の実施形態において、本開示の靴は７．２以上のアウトソール比を有する。一部の実施形態において、本開示の靴は７．４以上のアウトソール比を有する。一部の実施形態において、本開示の靴は７．６以上のアウトソール比を有する。一部の実施形態において、本開示の靴は７．８以上のアウトソール比を有する。一部の実施形態において、本開示の靴は８．０以上のアウトソール比を有する。一部の実施形態において、本開示の靴は８．２以上のアウトソール比を有する。一部の実施形態において、本開示の靴は８．４以上のアウトソール比を有する。一部の実施形態において、本開示の靴は８．６以上のアウトソール比を有する。この大きさのアウトソール比を達成することにより、スプリットソール・フットウェアの可能性を高めるいくつかの利点が生じる。
【００５１】
以下の表２および表３は、本開示の実施形態に係る、第２溝部５０の平均深度（Ｄ）、爪先アウトソールパッチ２６の平均厚み（Ｔ）、爪先アウトソールパッチ２６の最大幅（Ｗ）、および爪先アウトソールパッチ２６の最大幅の点におけるミッドソール８の幅（Ｍ）に対する好適な値を示す。
【表２】
2018008150.tif 000004
【表３】
2018008150.tif 000005
【００５２】
一部の実施形態において、最大アウトソール比（ＯＲ）を達成する靴が提供される。なお、ＯＲは以下のように定義される。
ＯＲ’＝（Ｄ’×Ｔ’×Ｗ’）／Ｍ’
上記式中、
Ｄ’＝２．０ｍｍ〜３．０ｍｍの値である、第２溝部５０の平均深度、
Ｔ’＝少なくとも３．０ｍｍの値である、爪先アウトソールパッチ２６の平均厚み、
Ｗ’＝６０ｍｍ〜８９ｍｍの値である、爪先アウトソールパッチ２６の最大幅、
Ｍ’＝Ｗ’より値が大きく、７０ｍｍ〜９３ｍｍの値である、爪先アウトソールパッチ２６の最大幅の点におけるミッドソール８の幅、
ＯＲ’は７．０〜８．６の値である。
一部の実施形態において、Ｔ’は、少なくとも４．０ｍｍの値、少なくとも５．０ｍｍの値、少なくとも６．０ｍｍの値、少なくとも７．０ｍｍの値、少なくとも８．０ｍｍの値、または少なくとも９．０ｍｍの値を有する。
【００５３】
このＯＲ測定値を満足する靴の第１の利点は履き心地の改善である。より厚いアウトソールパッチは、より大きいクッションを足と歩行表面との間に可能にし、硬い物体の衝撃を最小化する。靴の縁部に近接する広いアウトソールパッチは足の底部をより大きくカバーし、それにより、アウトソールの縁部に圧力を加える不快感、またはより悪くは、ゴムの縁部から垂れ下がる不快感を、足が感じることがなくなる。
【００５４】
第２の利点は足の保護の改善である。厚肉化されたアウトソールは、より良好な防壁を提供し、それにより硬い物体または鋭利な物体に対して足をより良好に保護する。さらに、より広いアウトソールは、より良好に足を保護し被覆する。
【００５５】
第３の利点は耐久性の向上である。靴の縁部に近接するアウトソールは、シームの縫い合わせ、アウトソール（２４および２６）、ミッドソール（８）、および他の靴の繊細な構成要素を保護する。厚肉化されたアウトソール（２４および２６）は、靴の繊細な構成要素（例えばミッドソール８）が地面との接触により摩耗する前に、摩耗するためのより多くのアウトソールを提供する。より深い溝部（例えば、第１溝部４８および第２溝部５０）はアウトソールの縫い合わせをより良好に保護し、そのためアウトソールの縫い合わせの摩耗はさほど迅速ではなくなる。
【００５６】
第４の利点は、より魅力的なスタイルが可能となることである。すなわち、狭い靴が伸縮し、必要時により広い足に適応することが可能である。これは深い溝部（例えば第１溝部４８および第２溝部５０）により達成される。なお、この深い溝部は、より狭い靴上での溝部（したがって溝部内の縫い合わせ）と地面との間の大きい接触から縫い合わせを保護する。これはさらに、縁部に近接した厚肉化されたアウトソールパッチ（例えばヒールアウトソールパッチ２４および爪先アウトソールパッチ２６）により達成される。なお縁部に対するこの近接性は、いくつかの足はアウトソールよりも広いため、狭い靴において重要性がより高くなる。ここで、アウトソールの厚みは、より広い足がシーム／ミッドソール８／アッパー２を地面に押し下げることを防ぐ。
【００５７】
第５の利点は、折畳不能なヒールアウトソールパッチ２４および爪先アウトソールパッチのエリアが最小化されるため、靴の携帯性が高められ、靴がよりコンパクトになることである。
【００５８】
代表的な実施形態
以下は、本開示の非限定的な代表的な実施形態である。
【００５９】
実施形態Ａ
人の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーまたは前記ミッドソールに縫い合わされず、
（ii）前記ヒールアウトソールパッチおよび前記爪先アウトソールパッチは、それぞれエラストマーから作製される、
靴。
【００６０】
実施形態Ｂ
人の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）前記ヒールアウトソールパッチにより画定され且つ前記ミッドソールおよび前記インソールの対応する部分を備える靴の領域は、０．４０キログラム重／インチ〜０．７０キログラム重／インチのばね定数を有する、
靴。
【００６１】
実施形態Ｃ
人の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）前記爪先アウトソールパッチの後部コーナーは前記第１シームの一部分の１／４インチ内にある、
靴。
【００６２】
実施形態Ｄ
人の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記インソールは前記アッパーに縫い合わされず、
（ii）少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
（iii）少なくとも３／６４インチの深度を有する第２溝部が前記爪先アウトソールパッチの外辺部に近接して形成され、前記爪先アウトソールパッチは、前記第２溝部を占める第２糸を用いて、前記ミッドソールの前記第１表面の前記爪先部分に縫い合わされる、
靴。
【００６３】
実施形態Ｅ
人の足を受容するための内側部分であって、爪先キャビティおよびヒールキャビティを備える内側部分を形成するアッパーと、
（ｉ）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、
を備える靴であって、
（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（ｉ）前記ヒールアウトソールパッチにより画定され且つ前記ミッドソールおよび前記インソールの対応する部分を備える靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、
靴。
【００６４】
実施形態Ｆ  
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）前記ミッドソールの第２表面の前記ヒール部分にクッションインサートを固定することと、
（Ｄ）人の足を受容するための内側部分であって、爪先キャビティおよびヒールキャビティを備える内側部分を形成するアッパーを、（ｉ）爪先端部、（ii）ヒール端部、（iii）内側側部、および（iv）外側側部を有する前記ミッドソールに縫い合わせることであって、縫い合わせること（Ｄ）により、前記ミッドソールの外辺部は前記アッパーに縫い合わされ、それにより、第１シームにより囲まれた前記内側部分に対する底部が形成されることと、
（Ｅ）接着剤により前記内側部分の前記底部にインソールを固定することと、
を含み、
前記縫い合わせること（Ａ）および前記縫い合わせること（Ｂ）は、（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（ｉ）前記インソールは前記アッパーまたは前記ミッドソールに縫い合わされず、
（ii）前記ヒールアウトソールパッチおよび前記爪先アウトソールパッチは、それぞれエラストマーから作製される、
方法。
【００６５】
実施形態Ｇ
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）人の足を受容するための内側部分であって、爪先キャビティおよびヒールキャビティを備える内側部分を形成するアッパーを、（ｉ）爪先端部、（ii）ヒール端部、（iii）内側側部、および（iv）外側側部を有する前記ミッドソールに縫い合わせることであって、縫い合わせること（Ｃ）により、前記ミッドソールの外辺部は前記アッパーに縫い合わされ、それにより、第１シームにより囲まれた前記内側部分に対する底部が形成されることと、
（Ｄ）接着剤により前記内側部分の前記底部にインソールを固定することと、
を含み、
前記縫い合わせること（Ａ）および前記縫い合わせること（Ｂ）は、（ｉ）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（ｉ）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（ｉ）前記ヒールアウトソールパッチにより画定され且つ前記ミッドソールおよび前記インソールの対応する部分を備える前記靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、
方法。
【００６６】
実施形態Ｈ−１
前記ミッドソールは皮革製である、実施形態Ａ、Ｂ、Ｃ、Ｄ、Ｅ、Ｆ、およびＧのいずれか１つ。
【００６７】
実施形態Ｈ−２
前記内側部分の前記底部は発泡インレイをさらに備え、前記インソールは接着剤により前記発泡インレイに固定される、実施形態Ａ、Ｂ、Ｃ、Ｄ、Ｅ、Ｆ、およびＧのいずれか１つ。
【００６８】
実施形態Ｈ−３
前記内側部分は、前記ミッドソールの第２表面の前記ヒール部分に接着されたクッションインサートをさらに備える、実施形態Ａ、Ｂ、Ｃ、Ｄ、Ｅ、Ｆ、およびＧのいずれか１つ。
【００６９】
実施形態Ｈ−４
前記ミッドソールはヒール部分および爪先部分を有する第２表面を備え、
前記内側部分は、前記ミッドソールの第２表面の前記ヒール部分に接着されたクッションインサートをさらに備え
前記発泡インレイは（ｉ）クッションインサートおよび（ii）前記ミッドソールの前記第２表面の前記爪先部分に接着される、
Ｈ−２の実施形態。
【００７０】
実施形態Ｈ−５
前記クッションインサートは第１端部および第２端部により特徴付けられ、
前記クッションインサートの前記第１端部は前記ヒール部分の第１部分に接着され、前記クッションインサートの前記第２端部は前記ヒール部分の第２部分に接着され、前記ヒール部分の前記第１部分は、前記ヒール部分の前記第２部分よりも、前記ミッドソールの前記第２表面の前記爪先部分に近く、
前記クッションインサートの前記第１端部は、前記クッションインサートの前記第２端部よりも薄い、
Ｈ−３の実施形態。
【００７１】
実施形態Ｈ−６
前記クッションインサートは、前記ミッドソールの前記爪先部分から最も近い前記クッションインサートの部分が、前記ミッドソールの前記爪先部分から最も遠い前記クッションインサートの部分よりも薄くなるよう、前記ミッドソールの前記第２表面の前記爪先部分からの距離の関数として前記インサートに沿って厚くなる、Ｈ−３の実施形態。
【００７２】
実施形態Ｈ−７
前記クッションインサートはエチレンビニルアセテート・タイプまたはポリウレタン・タイプの材料を含む、Ｈ−３の実施形態。
【００７３】
実施形態Ｈ−８
前記クッションインサートは４５〜７０または６０〜７０のショアＡ硬度を有する、Ｈ−３の実施形態。
【００７４】
実施形態Ｈ−９
前記クッションインサートは０．３０ｇ／ｃｍ３〜０．７ｇ／ｃｍ３の密度を有する、Ｈ−３の実施形態。
【００７５】
実施形態Ｈ−１０
前記クッションインサートは０．４０ｇ／ｃｍ３〜０．７ｇ／ｃｍ３の密度を有する、Ｈ−３の実施形態。
【００７６】
実施形態Ｈ−１１
少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
少なくとも３／６４インチの深度を有する第２溝部が前記爪先アウトソールパッチの外辺部に近接して形成され、前記爪先アウトソールパッチは、前記第２溝部を占める第２糸を用いて、前記ミッドソールの前記第１表面の前記爪先部分に縫い合わされる、
実施形態Ａ、Ｂ、Ｃ、Ｄ、Ｅ、Ｆ、およびＧのいずれか１つ。
【００７７】
実施形態Ｈ−１２
前記アッパーは第１端部および第２端部を有する一体として形成され、前記第１端部および前記第２端部は前記ヒールキャビティにおいて第２シームによって一体化される、実施形態Ａ、Ｂ、Ｃ、Ｄ、Ｅ、Ｆ、およびＧのいずれか１つ。
【００７８】
実施形態Ｈ−１３
前記アッパーは（ｉ）第１端部と、（ii）第２端部と、（iii）第１縁部と、（iv）第２縁部と、を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延びていない、
実施形態Ａ、Ｂ、Ｃ、Ｄ、Ｅ、Ｆ、およびＧのいずれか１つ。
【００７９】
実施形態Ｈ−１４
前記第２縁部の第２部分は、前記ヒールキャビティに対して上方境界を提供するアキレスクッションにより特徴付けられる、実施形態Ａ、Ｂ、Ｃ、Ｄ、Ｅ、Ｆ、およびＧのいずれか１つ。
【００８０】
実施形態Ｈ−１５
前記アッパーは第１端部および第２端部を有する一体として形成され、
前記第１端部および前記第２端部は前記ヒールキャビティにおいて第２シームによって一体化され、
半月形ピースが前記第２シームの下方部分を覆う、
実施形態Ａ、Ｂ、Ｃ、Ｄ、Ｅ、Ｆ、およびＧのいずれか１つ。
【００８１】
実施形態Ｈ−１６
靴は折畳状態にあり、引っ張り紐を有するポーチへと押し込まれる、実施形態Ａ、Ｂ、Ｃ、Ｄ、Ｅ、Ｆ、およびＧのいずれか１つ。
【００８２】
実施形態Ｈ−１７
前記ポーチはトートバッグを保持するためのポケットを備え、前記トートバッグは１対の靴を収容するよう構成された、Ｈ−１６の実施形態。
【００８３】
実施形態Ｈ−１８   
靴は折畳状態にあり、蓋を有するコンパクトボックスに押し込まれる、実施形態Ａ、Ｂ、Ｃ、Ｄ、Ｅ、Ｆ、およびＧのいずれか１つ。
【００８４】
実施形態Ｈ−１９
前記爪先アウトソールパッチの後部コーナーは前記第１シームの一部分の１／４インチ内にある、実施形態Ａ、Ｂ、Ｃ、Ｄ、Ｅ、Ｆ、およびＧのいずれか１つ。
【００８５】
実施形態Ｈ−２０
前記爪先アウトソールパッチの後部コーナーは前記第１シームの一部分の３／１６インチ内にある、実施形態Ａ、Ｂ、Ｃ、Ｄ、Ｅ、Ｆ、およびＧのいずれか１つ。
【００８６】
実施形態Ｈ−２１
前記爪先アウトソールパッチの前部コーナーは前記第１シームの一部分の１／４インチ内にある、実施形態Ａ、Ｂ、Ｃ、Ｄ、Ｅ、Ｆ、およびＧのいずれか１つ。
【００８７】
実施形態Ｈ−２２
前記ヒールアウトソールパッチの後部コーナーは前記第１シームの一部分の３／１６インチ内にある、実施形態Ａ、Ｂ、Ｃ、Ｄ、Ｅ、Ｆ、およびＧのいずれか１つ。
【００８８】
実施形態Ｈ−２３
前記ヒールアウトソールパッチの後部コーナーは前記第１シームの一部分の１／４インチ内にある、実施形態Ａ、Ｂ、Ｃ、Ｄ、Ｅ、Ｆ、およびＧのいずれか１つ。
【００８９】
実施形態Ｈ−２４
前記爪先アウトソールパッチまたは前記ヒールアウトソールパッチは０．８〜１．５の耐久性係数を有する、実施形態Ａ、Ｂ、Ｃ、Ｄ、Ｅ、Ｆ、およびＧのいずれか１つ。
【００９０】
実施形態Ｈ−２５
前記爪先アウトソールパッチまたは前記ヒールアウトソールパッチは１．０〜１．３の耐久性係数を有する、実施形態Ａ、Ｂ、Ｃ、Ｄ、Ｅ、Ｆ、およびＧのいずれか１つ。
【００９１】
実施形態Ｈ−２６
前記ヒールアウトソールパッチおよび前記爪先アウトソールパッチはそれぞれ少なくとも３／３２インチの厚みを有する、実施形態Ａ、Ｂ、Ｃ、Ｄ、Ｅ、Ｆ、およびＧのいずれか１つ。
【００９２】
実施形態Ｈ−２７
前記ヒールアウトソールパッチおよび前記爪先アウトソールパッチはそれぞれ約５／３２インチの厚みを有する、実施形態Ａ、Ｂ、Ｃ、Ｄ、Ｅ、Ｆ、およびＧのいずれか１つ。
【００９３】
実施形態Ｈ−２８
前記間隔は４／８インチ〜６／８インチである、実施形態Ａ、Ｂ、Ｃ、Ｄ、Ｅ、Ｆ、およびＧのいずれか１つ。
【００９４】
実施形態Ｈ−２９
前記間隔は約５／８インチである、実施形態Ａ、Ｂ、Ｃ、Ｄ、Ｅ、Ｆ、およびＧのいずれか１つ。
【００９５】
実施形態Ｈ−３０
靴が水平面上に立つ人の足に着用された場合、前記ヒールアウトソールパッチの側部は、水平面から少なくとも４５度の角度で見える、実施形態Ａ、Ｂ、Ｃ、Ｄ、Ｅ、Ｆ、およびＧのいずれか１つ。
【００９６】
実施形態Ｈ−３１
靴が水平面上に立つ人の足に着用された場合、前記爪先アウトソールパッチの側部は、水平面から少なくとも４５度の角度で見える、実施形態Ａ、Ｂ、Ｃ、Ｄ、Ｅ、Ｆ、およびＧのいずれか１つ。
【００９７】
実施形態Ｈ−３２
前記ヒールアウトソールパッチにより画定され且つ前記ミッドソールおよび前記インソールの対応する部分を備える靴の領域は、０．４０キログラム重／インチ〜０．７０キログラム重／インチのばね定数を有する、実施形態Ａ、Ｂ、Ｃ、Ｄ、Ｅ、Ｆ、およびＧのいずれか１つ。
【００９８】
実施形態Ｈ−３３
前記ヒールアウトソールパッチにより画定され且つ前記ミッドソールおよび前記インソールの対応する部分を備える靴の領域は、０．４５キログラム重／インチ〜０．５５キログラム重／インチのばね定数を有する、実施形態Ａ、Ｂ、Ｃ、Ｄ、Ｅ、Ｆ、およびＧのいずれか１つ。
【００９９】
実施形態Ｈ−３４
前記爪先アウトソールパッチにより画定され且つ前記ミッドソールおよび前記インソールの対応する部分を備える靴の領域は、０．４０キログラム重／インチ〜０．７０キログラム重／インチのばね定数を有する、実施形態Ａ、Ｂ、Ｃ、Ｄ、Ｅ、Ｆ、およびＧのいずれか１つ。
【０１００】
実施形態Ｈ−３５
前記爪先アウトソールパッチにより画定され且つ前記ミッドソールおよび前記インソールの対応する部分を備える靴の領域は、０．４５キログラム重／インチ〜０．５５キログラム重／インチのばね定数を有する、実施形態Ａ、Ｂ、Ｃ、Ｄ、Ｅ、Ｆ、およびＧのいずれか１つ。
【０１０１】
実施形態Ｈ−３６
靴は女性用の靴である、実施形態Ａ、Ｂ、Ｃ、Ｄ、Ｅ、Ｆ、およびＧのいずれか１つ。
【０１０２】
実施形態Ｈ−３７
靴は男性用の靴である、実施形態Ａ、Ｂ、Ｃ、Ｄ、Ｅ、Ｆ、およびＧのいずれか１つ。
【０１０３】
実施形態Ｈ−３８
靴は男性用の靴、女性用の靴、または子供用の靴である、実施形態Ａ、Ｂ、Ｃ、Ｄ、Ｅ、Ｆ、およびＧのいずれか１つ。
【０１０４】
引用文献および代替的な実施形態
本明細書における引用文献は、全て、それぞれの刊行物、特許、または特許出願が特定的に且つ個別的に参照されることにより、あらゆる目的のためにその全体が援用されると示された場合と同程度に、参照することによりその全体があらゆる目的のために援用される。
【０１０５】
当業者に明らかであるように、多数の改変例および変化例が本発明の趣旨および範囲から逸脱することなく可能である。本明細書で説明する特定の実施形態は単に例示として提供されたものである。これらの実施形態は、本発明の原理およびその実際的な応用を最良の形態で説明し、それにより本発明および様々な改変例を有する様々な実施形態を、考えられる特定の用途に適した最良の形態で、他の当業者が利用できるよう、選択され説明されたものである。
【０１０６】
本開示は、様々なフットウェアのスタイル（図面に示される基本的なバレー用の平坦／スリッパに加えて）に適用される。例えば、柔軟な圧縮およびコンパクトな格納のための同様の構成を有するサンダル、フリップフロップ、活動的なスポーツ用の靴を作製することができ、これらは本発明の範囲に完全に含まれ得る。さらに、女性用に設計された実施形態を開示したが、係る靴が男性用もしくは子供用に、または女性、男性、子供の組み合わせ用に設計されてもよいことは明らかであろう。全部の係る代替的な設計は本開示の範囲に完全に含まれる。
【０１０７】
本明細書で説明した中核的な靴の設計およびコンパクト格納用ポーチは、装飾、材料、および色彩による表面上の分化の可能性を提供し、それにより商業上の訴求性が増大化される。代替的な構築方法は、一切縫い合わせずにアウトソールをミッドソールに接着することを含んでもよい。本発明は、添付の請求項の文言と、係る請求項が権利を与えられた均等物の全範囲とによってのみ限定される。
【図１】
2018008150.tif 000006
【図２】
2018008150.tif 000007
【図３】
2018008150.tif 000008
【図４】
2018008150.tif 000009
【図５】
2018008150.tif 000010
【図６】
2018008150.tif 000011
【図６Ａ】
2018008150.tif 000012
【図６Ｂ】
2018008150.tif 000013
【図７】
2018008150.tif 000014
【図８】
2018008150.tif 000015
【図９】
2018008150.tif 000016
【図９Ａ】
2018008150.tif 000017
【図９Ｂ】
2018008150.tif 000018
【図１０】
2018008150.tif 000019
【図１１】
2018008150.tif 000020
【図１２】
2018008150.tif 000021
【図１３】
2018008150.tif 000022
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
足を受容するための内側部分であって、爪先キャビティ及びヒールキャビティを含む内側部分を形成するアッパーであって、前記ヒールキャビティの一部は、その深度を小さくするために削られたアキレス領域によって特徴付けられる、アッパーと、
（i）爪先端部、（ii）ヒール端部、（iii）内側側部、及び、（iv）外側側部を有するミッドソールであって、前記ミッドソールの外辺部が前記アッパーに固定されることによって前記内側部分に対する底部が形成される、ミッドソールと、
前記ミッドソールの第１表面のヒール部分に固定されたヒールアウトソールパッチであって、前記ヒールアウトソールパッチの第１縁部はある勾配で面取りされる、ヒールアウトソールパッチと、
前記内側部分内に配置されたインソールと、
前記インソール及び前記ミッドソールの間に配置された発砲インレイと、を備える靴であって、
（i）前記インソールは前記アッパー又は前記ミッドソールに固定されず、
（ii）前記発砲インレイは、前記アッパーに固定されて、前記ミッドソールの第２表面に固定され、
（iii）前記ヒールアウトソールパッチはエラストマーから作製され、
（iv）当該靴が着用されて水平面上にある場合、前記ヒールアウトソールパッチの側部は水平面から少なくとも４５度の角度で見える、靴。
【請求項２】
前記ミッドソールは皮革製である、請求項１に記載の靴。
【請求項３】
前記ミッドソールは、前記ミッドソールの非露出部分に固定された柔軟性材料によって補強される、請求項１に記載の靴。
【請求項４】
前記発砲インレイは前記アッパーに縫い合わされる、請求項１に記載の靴。
【請求項５】
前記アッパーは、（i）第１縁部及び（ii）第２縁部を有する一体として形成され、前記第１縁部は、前記発砲インレイの外辺部に固定され、前記第２縁部は、前記爪先キャビティと前記ヒールキャビティとの間の上方境界を提供する、請求項１に記載の靴。
【請求項６】
ストリップ部分は前記アキレス領域の一部を覆う、請求項１に記載の靴。
【請求項７】
前記内側部分は第１縫い目によって囲まれる、請求項１に記載の靴。
【請求項８】
前記ヒールアウトソールパッチの第２縁部は前記第１縫い目の一部の０．４８ｃｍ内にある、請求項７に記載の靴。
【請求項９】
前記ヒールアウトソールパッチの第２縁部は前記第１縫い目の一部の０．６４ｃｍ内にある、請求項７に記載の靴。
【請求項１０】
前記ヒールアウトソールパッチは０．８〜１．５の耐久性係数を有する、請求項１に記載の靴。
【請求項１１】
前記ヒールアウトソールパッチは１．０〜１．３の耐久性係数を有する、請求項１に記載の靴。
【請求項１２】
前記ヒールアウトソールパッチは少なくとも０．２４ｃｍの厚さである、請求項１に記載の靴。
【請求項１３】
前記ヒールアウトソールパッチは約０．４ｃｍの厚さである、請求項１に記載の靴。
【請求項１４】
前記ヒールアウトソールパッチにより規定され、かつ、前記ミッドソール及び前記インソールの対応する部分を備える前記靴の領域が、０．１６キログラム重／ｃｍ〜０．２８キログラム重／ｃｍのばね定数を有する、請求項１に記載の靴。
【請求項１５】
前記ヒールアウトソールパッチにより規定され、かつ、前記ミッドソール及び前記インソールの対応する部分を備える前記靴の領域が、０．１８キログラム重／ｃｍ〜０．２２キログラム重／ｃｍのばね定数を有する、請求項１に記載の靴。
【請求項１６】
少なくとも３／６４インチの深度を有する溝部が、前記ヒールアウトソールパッチの外辺部に近接して形成される、請求項１に記載の靴。
【請求項１７】
前記靴は、引っ張り紐を有するポーチへと押し込まれる、請求項１に記載の靴。
【請求項１８】
前記ポーチは、折畳可能なトートバッグを保持するためのポケットを含み、前記トートバッグは１対の靴を収容するように構成される、請求項１７に記載の靴。
【請求項１９】
前記靴は、蓋を有するコンパクトボックスに押し込まれる、請求項１に記載の靴。
【請求項２０】
前記靴は、折畳可能なトートバッグに関連付けられる、請求項１に記載の靴。
【請求項２１】
前記トートバッグは圧縮可能である、請求項２０に記載の靴。
【請求項２２】
前記トートバッグは、２方向に伸長可能な材料から作製された自己格納式のポケット内に圧縮可能であり、前記自己格納式のポケットは、前記自己格納式のポケット内に圧縮されたときに前記トートバックを圧縮する、請求項２１に記載の靴。
【請求項２３】
前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただし、ＭはＷより大きく前記靴の前記ＯＲ比は７．０より大きい、請求項１〜２２のいずれか１項に記載の靴。
【請求項２４】
前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただし、ＭはＷより大きく、前記靴の前記ＯＲ比は７．０より大きく、Ｄは２．５ｍｍであり、Ｔは４ｍｍであり、前記靴は、以下の５〜１２のうちのいずれかから選択された女性用靴寸法を有し、
前記女性用靴寸法が５の場合、Ｗは６６ｍｍ、Ｍは７４ｍｍであり、
前記女性用靴寸法が６の場合、Ｗは６９ｍｍ、Ｍは７７ｍｍであり、
前記女性用靴寸法が７の場合、Ｗは７２ｍｍ、Ｍは８０ｍｍであり、
前記女性用靴寸法が８の場合、Ｗは７５ｍｍ、Ｍは８３ｍｍであり、
前記女性用靴寸法が９の場合、Ｗは７８ｍｍ、Ｍは８６ｍｍであり、
前記女性用靴寸法が１０の場合、Ｗは８１ｍｍ、Ｍは８９ｍｍであり、
前記女性用靴寸法が１１の場合、Ｗは８４ｍｍ、Ｍは９２ｍｍであり、及び、
前記女性用靴寸法が１２の場合、Ｗは８６ｍｍ、Ｍは９４ｍｍである、請求項１〜２２のいずれか１項に記載の靴。
【請求項２５】
前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただし、ＭはＷより大きく、前記靴の前記ＯＲ比は７．０より大きく、Ｄは２．５±０．５ｍｍであり、Ｔは４±０．５ｍｍであり、前記靴は、以下の５〜１２のうちのいずれかから選択された女性用靴寸法を有し、
前記女性用靴寸法が５の場合、Ｗは６６±２ｍｍ、Ｍは７４±４ｍｍであり、
前記女性用靴寸法が６の場合、Ｗは６９±２ｍｍ、Ｍは７７±４ｍｍであり、
前記女性用靴寸法が７の場合、Ｗは７２±２ｍｍ、Ｍは８０±４ｍｍであり、
前記女性用靴寸法が８の場合、Ｗは７５±２ｍｍ、Ｍは８３±４ｍｍであり、
前記女性用靴寸法が９の場合、Ｗは７８±２ｍｍ、Ｍは８６±４ｍｍであり、
前記女性用靴寸法が１０の場合、Ｗは８１±２ｍｍ、Ｍは８９±４ｍｍであり、
前記女性用靴寸法が１１の場合、Ｗは８４±２ｍｍ、Ｍは９２±４ｍｍであり、及び、
前記女性用靴寸法が１２の場合、Ｗは８６±２ｍｍ、Ｍは９４±４ｍｍである、請求項１〜２２のいずれか１項に記載の靴。
【請求項２６】
前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただし、ＭはＷより大きく、前記靴の前記ＯＲ比は７．０より大きく、Ｄは２．５±１．０ｍｍであり、Ｔは４±１．０ｍｍであり、前記靴は、以下の５〜１２のうちのいずれかから選択された女性用靴寸法を有し、
前記女性用靴寸法が５の場合、Ｗは６６±４ｍｍ、Ｍは７４±４ｍｍであり、
前記女性用靴寸法が６の場合、Ｗは６９±４ｍｍ、Ｍは７７±４ｍｍであり、
前記女性用靴寸法が７の場合、Ｗは７２±４ｍｍ、Ｍは８０±４ｍｍであり、
前記女性用靴寸法が８の場合、Ｗは７５±４ｍｍ、Ｍは８３±４ｍｍであり、
前記女性用靴寸法が９の場合、Ｗは７８±４ｍｍ、Ｍは８６±４ｍｍであり、
前記女性用靴寸法が１０の場合、Ｗは８１±４ｍｍ、Ｍは８９±４ｍｍであり、
前記女性用靴寸法が１１の場合、Ｗは８４±４ｍｍ、Ｍは９２±４ｍｍであり、及び、
前記女性用靴寸法が１２の場合、Ｗは８６±４ｍｍ、Ｍは９４±４ｍｍである、請求項１〜２２のいずれか１項に記載の靴。
【手続補正２】
【補正対象書類名】明細書
【補正対象項目名】００５１
【補正方法】変更
【補正の内容】
【００５１】
以下の表２および表３は、本開示の実施形態に係る、第２溝部５０の平均深度（Ｄ）、爪先アウトソールパッチ２６の平均厚み（Ｔ）、爪先アウトソールパッチ２６の最大幅（Ｗ）、および爪先アウトソールパッチ２６の最大幅の点におけるミッドソール８の幅（Ｍ）に対する好適な値を示す。
【表２】
2018008150.tif 000023
【表３】
2018008150.tif 000024
【外国語明細書】
2018008150000001.pdf